(57)【特許請求の範囲】
【請求項１】
掘削孔にソイルセメントを充填し、
芯材となるＨ形鋼の前面側となるフランジに予めナットを取付けて、このＨ形鋼を適宜間隔毎に挿入し、
前記ソイルセメントの硬化後に、内側地盤を根切りするとともに前記掘削孔のソイルセメントと前記Ｈ形鋼とでできた連続壁の前部をはつり、
前記Ｈ形鋼の前面側のフランジを露出させるとともに前記ナットを介して形鋼コネクタをこのフランジにボルトで取付けて固定し、
外壁用型枠のセパレータを前記形鋼コネクタによって保持・固定させて堰板を取付け、
前記外壁用型枠内にコンクリートを打設して外壁を形成し、この外壁と前記芯材とが一体になった地下外壁を形成すること、
を特徴とする構造物の地下外壁の構築方法。
【請求項２】
形鋼コネクタは、溝形鋼若しくは等辺山型鋼であってその上面にセパレータが接合され、当該形鋼コネクタがセパレータ受け金物と地下外壁のシアコネクタとを兼用されていること、
を特徴とする請求項１に記載の構造物の地下外壁の構築方法。
【請求項３】
掘削孔にソイルセメントを充填し、
芯材となるＨ形鋼の前面側となるフランジに前記ソイルセメントの付着を防止するカバーを被覆してこのＨ形鋼を適宜間隔毎に挿入し、
前記ソイルセメントの硬化後に、内側地盤を根切りするとともに、
前記掘削孔のソイルセメントと前記Ｈ形鋼とでできた連続壁の前部をはつり、
前記Ｈ形鋼の前面側のフランジおよび前記カバーを露出させてそのカバーを前記フランジから引き剥がし、
前記カバーを外した後の前記フランジの前面に、頭部に雌ネジ部が形成されているタッピングビスを適宜間隔ごとに設け、
該タッピングビスの頭部にセパレータをねじ込んで外壁用型枠を固定し、
この型枠内にコンクリートを打設して外壁を形成し、この外壁と前記芯材とが一体になった地下外壁を形成すること、
を特徴とする構造物の地下外壁の構築方法。
【請求項４】
カバーは、硬質プラスチック製であるとともに、タッピングビスがセパレータ受け金物と地下外壁のシアコネクタとを兼用されていること、
を特徴とする請求項３に記載の構造物の地下外壁の構築方法。
【発明の詳細な説明】
【０００１】
【発明の属する技術分野】
本発明は構造物の地下外壁およびその構築方法に関するものである。
【０００２】
【従来の技術】
ソイルセメント柱列壁または泥水固化壁（以下、連続壁という）は仮設用の山留壁や止水壁として構築され、その中に埋め込まれた芯材は本体構造物である地下外壁の構築後に、地盤内に埋め殺しされるのが一般的であった。しかし近年においては、図１０に示すように、芯材２０を本体構造物の一部として有効利用するために、スタッドボルト２１により外壁２２との一体化が進められている。
【０００３】
【発明が解決しようとする課題】
しかし、上記のようなスタッドボルトによる連続壁と外壁との一体化には、以下のような問題がある。
▲１▼  スタッドボルトを溶接するための下地処理が必要になる。
▲２▼  スタッドボルトの現場溶接は天候に左右されることや、横向きに施工することから品質の確保が難しい。そのため工期および工費が、通常の施工に比べ割高となる。
▲３▼  スタッドボルトの数が、外壁と芯材との間に作用するせん断力と引張力とにより決定される。
▲４▼  連続壁内を浸透した地下水が外壁の表面に広く滞留した場合に、スタッドボルトの腐食を早める。
【０００４】
本発明は上記のような問題に鑑みてなされたものであり、その目的は、連続壁と外壁との一体化が合理的で高品質にできる構造物の地下外壁およびその構築方法を提供することである。
【０００５】
【課題を解決するための手段】
以上の課題を達成するための構造物の地下外壁の構築方法の要旨は、掘削孔にソイルセメントを充填し、芯材となるＨ形鋼の前面側となるフランジに予めナットを取付けて、このＨ形鋼を適宜間隔毎に挿入し、前記ソイルセメントの硬化後に、内側地盤を根切りするとともに前記掘削孔のソイルセメントと前記Ｈ形鋼とでできた連続壁の前部をはつり、  前記Ｈ形鋼の前面側のフランジを露出させるとともに前記ナットを介して形鋼コネクタをこのフランジにボルトで取付けて固定し、外壁用型枠のセパレータを前記形鋼コネクタによって保持・固定させて堰板を取付け、前記外壁用型枠内にコンクリートを打設して外壁を形成し、この外壁と前記芯材とが一体になった地下外壁を形成することである。
また、前記形鋼コネクタは、溝形鋼若しくは等辺山型鋼であってその上面にセパレータが接合され、当該形鋼コネクタがセパレータ受け金物と地下外壁のシアコネクタとを兼用されていることを含むものである。
更に、本発明の要旨は、掘削孔にソイルセメントを充填し、芯材となるＨ形鋼の前面側となるフランジに前記ソイルセメントの付着を防止するカバーを被覆してこのＨ形鋼を適宜間隔毎に挿入し、前記ソイルセメントの硬化後に、内側地盤を根切りするとともに、前記掘削孔のソイルセメントと前記Ｈ形鋼とでできた連続壁の前部をはつり、前記Ｈ形鋼の前面側のフランジおよび前記カバーを露出させてそのカバーを前記フランジから引き剥がし、前記カバーを外した後の前記フランジの前面に、頭部に雌ネジ部が形成されているタッピングビスを適宜間隔ごとに設け、該タッピングビスの頭部にセパレータをねじ込んで外壁用型枠を固定し、この型枠内にコンクリートを打設して外壁を形成し、この外壁と前記芯材とが一体になった地下外壁を形成することである。
また、前記カバーは、硬質プラスチック製であるとともに、タッピングビスがセパレータ受け金物と地下外壁のシアコネクタとを兼用されていることを含むものである。
【０００６】
連続壁の芯材に設けた形鋼コネクタが外壁内に埋設されるため、連続壁と外壁との合成度が大きくなる。タッピングビスがシアコネクタとセパレータの受け金物を兼用するので、施工の合理化を図ることができる。
【０００７】
【発明の実施の形態】
以下、構造物の地下外壁（以下、単に地下外壁という）およびその構築方法の実施の形態を図面に基づいて詳細に説明する。はじめに地下外壁の２つの実施の形態について説明し、その後にこの構築方法について説明するが、各実施の形態において同じ構成は同じ符号で説明し、異なる構成は異なった符号を付して説明する。
【０００８】
図１は第１の実施の形態の地下外壁１であり、地山２ａ側のソイルセメントの芯材４と鉄筋コンクリート製の外壁３とが一体的に接合された構成になっている。
【０００９】
連続壁２には芯材４であるＨ形鋼が埋設され、該Ｈ形鋼のフランジ５の一部が外壁３との境界部に位置し、前記フランジ５に設けた形鋼コネクタ６が外壁３内に埋設されている。形鋼コネクタ６は溝形鋼が使用され、図３（１），（２）に示すように、前記フランジ５に予め取り付けたナット８と予め設けたボルト用貫通孔とにボルト７をねじ込んで固定されている。このように形鋼コネクタ６はボルト７で簡単に取り付けられるので天候の影響を受けず、かつ品質管理も締め付けトルク管理で行うために、検査が容易になる。また形鋼コネクタ６はボルトで固定されるため、耐食性に優れている。
【００１０】
図４は、外壁用型枠の堰板９を保持・固定するためのセパレータ１０を、形鋼コネクタ６に接合したものであり、このセパレータ１０によって堰板９が保持・固定できるとともに、芯材４と外壁３とのシアコネクタやセパレータ受け金物として利用することにより、合理的な施工とコストの低減とを図ることができる。またセパレータ１０は、芯材４の建て入れ精度が悪い場合でも、形鋼コネクタ６の上面におけるフランジの幅だけ長さ調整ができるので、堰板９の保持・固定が容易になる。
【００１１】
図５および図６は、第２の実施の形態の地下外壁１１を示し、形鋼コネクタ６が等辺山形鋼になった以外は、第１の実施の形態の地下外壁１と同じ構成である。この等辺山形鋼もフランジ５にボルト７で固定され、上面にセパレータ１０を接合することで、芯材４と外壁３とのシアコネクタ、あるいはセパレータ受け金物として利用されている。
【００１２】
以下に、第１の実施の形態の地下外壁１の構築方法を図７に基づいて説明する。まず、（１）に示すように、掘削孔１２に貧配合のソイルセメント１３を充填し、ここに芯材４であるＨ形鋼を適宜間隔ごとに挿入する。このとき各Ｈ形鋼の前面側のフランジ５に、ソイルセメント１３の付着を防ぐ硬質プラスチック製のカバー１４を被覆しておく。そしてソイルセメント１３の硬化後、内側地盤（図示せず）を根切りするとともに、連続壁２の前部をはつって前面側のフランジ５を露出させ、これに被覆されたカバー１４を引き剥がす。このフランジ５のはつり出しは、貧配合のソイルセメント１３であるため簡単にできる。
【００１３】
次に、同図の（２）に示すように、露出したフランジ５に形鋼コネクタ６をボルト７で固定する。そして、外壁の横筋３ａおよび縦筋３ｂを配筋するとともに外壁用型枠を組み立てて、その堰板９をセパレータ１０で保持・固定する。そして、この型枠内にコンクリート１５を打設すると、芯材４と外壁３とが一体となった地下外壁１が構築される（図１参照）。なお第２の実施の形態の地下外壁１１もこれと同じ方法で構築する。
【００１４】
また図８および図９は、地下外壁の構築方法の他の実施の形態の示したものである。はじめに、（１）に示すように、掘削孔１２に貧配合のソイルセメント１３を充填し、これに芯材４であるＨ形鋼を適宜間隔ごとに挿入する。このとき、各Ｈ形鋼の前面側におけるフランジ５に、ソイルセメント１３の付着を防ぐ硬質プラスチック製のカバー１４を被覆しておく。そして、ソイルセメント１３の硬化後に、内側地盤（図示せず）を根切りするとともに、連続壁２の前部をはつって前面側のフランジ５を露出させ、これに被覆されたカバー１４を引き剥がす。このフランジ５のはつり出しは、貧配合のソイルセメント１３であるため簡単にできる。
【００１５】
次に、同図の（２）に示すように、露出したフランジ５にタッピングビス１６を適宜間隔ごとに溶接する。このタッピングビス１６は頭部１７に雌ねじ部１８が形成され、ここにセパレータ１０がねじ込まれるようになっている。次に、外壁の横筋３ａおよび縦筋３ｂを配筋するとともに、タッピングビス１６の雌ねじ部１８にセパレータ１０をねじ込んで外壁用型枠の堰板９を保持・固定する。次に、この型枠内にコンクリート１５を打設すると、芯材４と外壁３とが一体になった地下外壁１９が構築される。このように、上記のタッピングビス１６はシアコネクタとセパレータの受け金物とを兼用する。
【００１６】
【発明の効果】
芯材に設けた形鋼コネクタが外壁内に埋設されるため、連続壁と外壁との合成度が大きくなる。地下外壁の耐力を大きくすることができた。
【００１７】
芯材と外壁のコンクリートとの付着力が大きくなる。
【００１８】
ソイルセメントがはつりやすくなって、芯材を簡単にはつり出せるとともに、はつり出し作業の安全性を高めることができる。
【００１９】
タッピングビスがシアコネクタとセパレータの受け金物を兼用するので、施工の合理化を図ることができる。
【図面の簡単な説明】
【図１】   第１の実施の形態の地下外壁の横断面図である。
【図２】 第１の実施の形態の地下外壁の縦断面図である。
【図３】 （１）は芯材の斜視図、（２）は要部の断面図である。
【図４】セパレータを設けた第１の実施の形態の地下外壁の断面図である。
【図５】第２の実施の形態の地下外壁の横断面図である。
【図６】   （１）は第２の実施の形態の地下外壁の縦断面図、（２）および（３）は芯材に形鋼コネクタを取り付けた断面図である。
【図７】 （１）および（２）は地下外壁の構築方法を示す断面図である。
【図８】 （１）および（２）は地下外壁の構築方法を示す断面図である。
【図９】 （１）は地下外壁の構築方法を示す断面図、（２）はタッピングビスの断面図、（３）は（２）のＡ−Ａ線断面図である。
【図１０】（１）および（２）は従来の地下外壁の断面図である。
【符号の説明】
１、１１、１９  地下外壁
２  連続壁
２ａ  地山
３、２２  外壁
４、２０  芯材
５  フランジ
６  形鋼コネクタ
７  ボルト
８  ナット
９  堰板
１０  セパレータ
１２  掘削孔
１３  ソイルセメント
１４  カバー
１５  コンクリート
１６  タッピングビス
１７  頭部
１８  雌ねじ部
２１  スタッドボルト
【図１】
0004421123.tif 000002
【図２】
0004421123.tif 000003
【図３】
0004421123.tif 000004
【図４】
0004421123.tif 000005
【図５】
0004421123.tif 000006
【図６】
0004421123.tif 000007
【図７】
0004421123.tif 000008
【図８】
0004421123.tif 000009
【図９】
0004421123.tif 000010
【図１０】
0004421123.tif 000011